(57)【特許請求の範囲】
【請求項１】
複数の電子部品を実装したプリント基板上に冷却部材を固定し、前記電子部品上に前記冷却部材を熱的接続して電子部品を冷却する構造であって、
前記冷却部材と前記電子部品間に熱伝導性弾性部材が介設されて前記冷却部材には冷媒通路を形成する冷却パイプが結合され、前記冷却部材が前記プリント基板上にスペーサを介して所定高さに固定されて前記冷却パイプには複数の前記電子部品の各々にそれぞれ対応する複数の前記冷却部材が連設され、
前記電子部品は前記プリント基板からの高さの異なるものを含み、
前記プリント基板からの高さのより高い前記電子部品に対して相対的により長い前記スペーサを適用して前記プリント基板から相対的により高い位置に前記冷却部材及びこれに結合する部分の前記冷却パイプを設置し、
高さの異なる前記冷却部材間において前記冷却パイプを変形させてその高さを変遷させてなること、
を特徴とするプリント基板の冷却構造。
【請求項２】
前記冷却パイプは塑性変形可能な金属製であること、
を特徴とする請求項１記載のプリント基板の冷却構造。
【請求項３】
前記熱伝導性弾性部材はグリスであること、
を特徴とする請求項１記載のプリント基板の冷却構造。
【請求項４】
前記電子部品の直上に冷媒通路を配置すること、
を特徴とする請求項１記載のプリント基板の冷却構造。
【発明の詳細な説明】
【０００１】
【発明の属する技術分野】
本発明は、プリント基板の冷却構造に関するものである。
【０００２】
【従来の技術】
次に、従来のプリント基板の冷却構造を、図５により説明する。冷却管３４はパイプ３２とブロック３３で構成される。ブロック３３の側面にパイプ３２が接合される。ブロック３３の他側面にねじ穴３５が形成される。伝熱板３７のフランジ部に長穴４２を形成し、凸部に座ぐり穴４３を形成する。伝熱板３８はねじ穴３９を有する。伝熱板３８は熱伝導性接着剤４０でＩＣ３６と接着される。伝熱板３７と伝熱板３８との間、伝熱板３７とブロック３３との間は熱伝導性グリス４１を入れている。伝熱板３７はねじ４４でブロック３３に固定される。伝熱板３８はねじ４５で伝熱板３７に固定される。図６は組立状態図である。
図５に戻り、IC３６の実装高さは長穴４２でばらつきを吸収する。
一方、ねじ４５のねじ径より、座ぐり穴４３の径が大きく形成されているので、伝熱板３８はIC３６のパッケージ平面上に微小移動できる。図６の構造において、パイプ３２に冷媒を流動させると複数のIC３６を冷却できる。
【０００３】
【発明が解決しようとする課題】
従来の構造はIC３６の実装高さや平面上の組立調整が容易である。しかし、組立後のプリント基板３１のひずみや熱による応力の吸収が不十分であり、ＩＣ３６のリード４７部に負荷がかかると、リード４７がプリント基板３１から分離する可能性がある。また、ブロック３３を含む冷却管が銅材を使用しているので、プリント基板全体として重量であるという問題がある。
【０００４】
本発明は、プリント基板上への電子部品組立後の構造上の応力を電子部品に直接かけないことにより、断線を防止する冷却構造を提供することを目的とする。さらに、軽量で、安価な冷却構造を提供する。
【０００５】
【課題を解決するための手段】
以上の課題を解決すべく請求項１記載の発明は、複数の電子部品を実装したプリント基板上に冷却部材を固定し、前記電子部品上に前記冷却部材を熱的接続して電子部品を冷却する構造であって、
前記冷却部材と前記電子部品間に熱伝導性弾性部材が介設されて前記冷却部材には冷媒通路を形成する冷却パイプが結合され、前記冷却部材が前記プリント基板上にスペーサを介して所定高さに固定されて前記冷却パイプには複数の前記電子部品の各々にそれぞれ対応する複数の前記冷却部材が連設され、
前記電子部品は前記プリント基板からの高さの異なるものを含み、
前記プリント基板からの高さのより高い前記電子部品に対して相対的により長い前記スペーサを適用して前記プリント基板から相対的により高い位置に前記冷却部材及びこれに結合する部分の前記冷却パイプを設置し、
高さの異なる前記冷却部材間において前記冷却パイプを変形させてその高さを変遷させてなること、を特徴としている。
【０００６】
ここで、熱伝導性弾性部材として、熱伝導性に優れたゲルやグリス、ばね等が挙げられる。
【０００７】
以上のように、請求項１記載の発明によれば、冷媒通路を有しプリント基板上に固定された冷却部材と電子部品との間に、熱伝導性弾性部材を設けたことにより、プリント基板や電子部品の反りや熱による応力は、熱伝導性弾性部材に吸収されるので、電子部品のリードとプリント基板との接合部に負荷を与えることがなく、分離を抑制することができる。
また、請求項１記載の発明によれば、冷却パイプに結合した冷却部材をスペーサを介してプリント基板上の所定高さにねじ止めすることにより、プリント基板上の電子部品に冷却部材が当接しないので、プリント基板や電子部品に生じた反りや応力を、冷却部材に伝わらないようにすることができる。また、スペーサの長さを変えることにより、様々な高さの電子部品に適用することができる。
また、請求項１記載の発明によれば、電子部品にそれぞれ対応する冷却部材が冷却パイプに連設しているので、それぞれの電子部品の高さに合せて冷却部材を設置することができ、各電子部品を均一に冷却することが可能である。
【０００８】
請求項２記載の発明は、請求項１記載のプリント基板の冷却構造において、例えば図４に示すように、前記冷却パイプは塑性変形可能な金属製であること、を特徴としている。
【００１３】
このように、請求項２記載の発明によれば、冷却パイプを塑性変形可能な金属製としたことにより、それぞれの電子部品の高さに合せて設置した冷却部材に、冷却パイプを塑性変形により追従させることができ、各冷却部材と冷却パイプの距離を一定に保つことができる。
【００１４】
請求項３記載の発明は、請求項１記載のプリント基板の冷却構造において、熱伝導性弾性部材はグリスであること、を特徴としている。
【００１５】
請求項４記載の発明は、請求項１記載のプリント基板の冷却構造において、例えば図３に示すように、電子部品の直上に冷媒通路を配置すること、を特徴としている。
【００１６】
このように、請求項４記載の発明によれば、電子部品の直上に冷媒通路を配置することにより、熱が伝導する距離を最小とすることができるので、効率よく電子部品を冷却できる。
【００１７】
【発明の実施の形態】
以下に、本発明に係るプリント基板冷却構造の実施の形態例を図１から図４に基づいて説明する。
図１はプリント基板の冷却構造を示す分解斜視図であり、図２は図１におけるプリント基板の冷却構造を組み立てた状態を示す斜視図である。
本発明のプリント基板の冷却構造は、冷却パイプ１、冷却プレート２、スペーサ３で、概略構成されている。
冷却プレート２は、プリント基板４上に実装された電子デバイス５の上方に、一定の隙間を有して位置するよう、スペーサ３を介してプリント基板４上に設置されている。ここで、個々の電子デバイス５に対し、冷却プレート２は一つずつ設けられている。電子デバイス５の外対角に当たる位置に、２つの穴７が設けられている。冷却プレート２にも、前記２つの穴７のピッチに合せた穴８が設けられている。プリント基板４上の穴７にスペーサ３の雄ねじを入れ、スペーサ３上に冷却プレート２の穴８を合せて載せる。冷却プレート２の上方から、穴８にねじ９を螺入して、冷却プレート２を固定する。図２は図１における構成品を組み立てた状態である。
また、図３に示すように、電子デバイス５の直上に冷却パイプ１が位置するように、冷却プレート２の上面に冷却パイプ１をカシメ接合する。冷却パイプ１に複数の冷却プレート２が連設されている。
冷却プレート２と電子デバイス５との間の隙間には、熱伝導性弾性部材として熱伝導性グリス６が充填されている（図３参照）。
電子デバイス５の高さに合せて、スペーサ３は様々な長さのものを適宜用いるものとする。
また、冷却パイプ１は、塑性変形可能な金属、例えば銅のなまし材等で形成されているものとし、塑性変形することによって、様々な高さに設置された複数の冷却プレート２に追従する（図４参照）。
【００１８】
次に、上記冷却構造を用いた、プリント基板の冷却方法を説明する。
プリント基板４上に複数実装された電子デバイス５に、冷却プレート２が対になるように、プリント基板の冷却構造を複数設置する。ここで、各冷却プレート２を支持する各スペーサ３の長さは、個々の電子デバイス５の高さに合せる。各冷却プレート２と電子デバイス５との間の隙間を一定（例えば、０．１〜０．０５ｍｍ）にするものとする。
冷却パイプ１内に冷媒を流通させると、冷媒の熱は冷却パイプ１から冷却プレート２に伝わる。冷却プレート２に伝わった熱は、熱伝導性グリス６を介して、電子デバイス５に伝わり、電子デバイス５を冷却する。
【００１９】
プリント基板６あるいは電子デバイス５に、反りや熱による応力が生じた場合、この反りや応力を熱伝導性グリス６が吸収し、電子デバイス５のパッケージ上面が冷却プレート２に当接しないようになる。
【００２０】
このように、上記実施の形態のプリント基板の冷却構造によれば、冷却プレート２をスペーサ３を用いて電気デバイス５の上方に一定の隙間を有して固定し、この隙間に熱伝導性グリス６を充填したことにより、プリント基板４あるいは電気デバイス５に生じた反りや応力を熱伝導性グリス６が吸収し、冷却プレート２に電気デバイス５が当接するのを避けている。したがって、プリント基板４あるいは電気デバイス５に反り等が生じても、電気デバイス５のリードとプリント基板４との接合部分に負荷がかかることが少なく、剥離が生じるのを抑制できる。
また、熱伝導性弾性部材として熱伝導性グリス６を用いたことにより、冷却プレート２と電子デバイス５との隙間に隙間なくに充填することができ、電気デバイス５等に反り等が生じても常に熱的接続を保つことができる。
複数の電子デバイス５にそれぞれ対応する冷却プレート２を備え、冷却プレート２とプリント基板４との間に介在させるスペーサ３の長さを変えることができることにより、様々な高さの電気デバイス５に適用することができる。さらに、冷却パイプ１を塑性変形可能として、冷却プレート２に追従させることにより、各冷却プレート２と冷却パイプ１の距離を一定に保つことができるので、各電子デバイスを均一に冷却できる。
また、冷却パイプ１を電子デバイス５の直上になるように配置したことにより、熱の伝導距離を最小にすることができ、冷却効率を向上できる。
さらに、冷却部材として、冷却プレート２を用いたことにより、プリント基板の冷却構造を薄く軽量で、安価なものにすることができる。
【００２１】
なお、以上の実施の形態例においては、冷却パイプを形成する素材として銅のなまし材を用いたが、本発明はこれに限定されるものではなく、塑性変形可能であり、熱を伝達しやすいものであれば良い。
また、冷却プレートの形状や、プリント基板への固定方法等も任意であり、その他、具体的な細部構造等についても適宜に変更可能であることは勿論である。
【００２２】
【発明の効果】
以上のように、請求項１記載の発明に係るプリント基板の冷却構造によれば、冷媒通路を有しプリント基板上に固定された冷却部材と電子部品との間に設けた熱伝導性弾性部材が、プリント基板や電子部品に生じる反りや熱による応力を吸収するので、電気部品とプリント基板との接合部に負荷が加わることによって生じる断線を抑制できる。
【００２３】
請求項１記載の発明に係るプリント基板の冷却構造によれば、冷却パイプに結合した冷却部材を、スペーサを介してプリント基板上に固定し、電子部品と冷却部材とが当接しないようにすることにより、プリント基板や電子部品に生じた反りや応力が、冷却部材に伝わらない。また、スペーサの長さを変えることにより、様々な高さの電子部品に適用できる。
【００２４】
請求項１記載の発明に係るプリント基板の冷却構造によれば、電子部品にそれぞれ対応する冷却部材を備え、それぞれの電子部品の高さに合せて対応する冷却部材を設置することにより、各電子部品と冷却部材との距離を一定にすることができ、各電子部品を均一に冷却することができる。
【００２５】
請求項２記載の発明に係るプリント基板の冷却構造によれば、冷却パイプは塑性変形が可能であるので、高さの異なる電子部品に合せて、様々な高さに設置された冷却部材に追従することができ、各冷却部材と冷却パイプの距離を一定に保つことができる。
【００２６】
請求項４記載の発明に係るプリント基板の冷却構造によれば、冷媒通路を電子部品の直上に配置して、冷媒の熱が伝導する距離を最小とすることにより、電子部品を効率よく冷却できる。
【図面の簡単な説明】
【図１】本発明を適用した一例としてのプリント基板冷却構造を示す分解斜視図である。
【図２】図１におけるプリント基板冷却構造を組み立てた状態を示す斜視図である。
【図３】図２におけるプリント基板冷却構造の断面図である。
【図４】図２におけるプリント基板冷却構造の側面図であり、高さの異なる電子デバイスに適用した場合の、冷却パイプの状態を示している。
【図５】従来のプリント基板冷却構造を示す分解斜視図である。
【図６】図５におけるプリント基板冷却構造を組み立てた状態を示す斜視図である。
【符号の説明】
１  冷却パイプ
２  冷却プレート
３  スペーサ
４  プリント基板
５  電子デバイス
６  熱伝導性グリス
７  穴
８  穴
９  ねじ
【図１】
0004140138.tif 000002
【図２】
0004140138.tif 000003
【図３】
0004140138.tif 000004
【図４】
0004140138.tif 000005
【図５】
0004140138.tif 000006
【図６】
0004140138.tif 000007